(57)【要約】【課題】  新暦・旧暦カレンダーにおける新暦と旧暦の日付の配置を改良して新暦を主要な日付として表示し、新暦と旧暦の双方の日付の視認性を向上させるとともに、新暦での生活上の利便性を向上させ、かつ月の満ち欠けと旧暦の対応を分かりやすく表示することを目的とする。【解決手段】  新暦の少なくとも１ヶ月分の日付が１枚の用紙１２に印刷され、旧暦の日付表示が新暦の日付と対応して表示され、旧暦の日付の表示部の背景を構成する色帯２０が設けられるとともに、色帯の中に、月の満ち欠けを示す図形２４を旧暦の日付に対応させて表示する構成とした。【選択図】  図１
0003112860.tif 000002
【実用新案登録請求の範囲】
【請求項１】
１枚の用紙に新暦の日付と旧暦の日付を併せて、少なくとも１ヶ月分を印刷した複数枚の用紙を束ねて構成した新暦・旧暦カレンダーにおいて、
前記新暦の少なくとも１ヶ月分の日付の各日が方形の部分として順次配列されて１枚の用紙に印刷され、
前記旧暦の日付が、前記方形の部分内の前記新暦の日付を表す数字の近傍に前記方形の部分の一部として設けられた色帯内に、前記旧暦の月日を含む文字で前記新暦の日付と対応して表示され、
前記色帯内に、月の満ち欠けを示す図形が前記旧暦の月日と対応して表示されていることを特徴とする新暦・旧暦カレンダー。
【請求項２】
前記月の満ち欠けを示す図形の近傍に、当該月の満ち欠けに応じて、「上弦」、「満月、「下弦」、「新月」の文字が配されていることを特徴とする請求項１に記載の新暦・旧暦カレンダー。
【請求項３】
前記色帯を構成する色が青紫であり、前記月の満ち欠けを示す図形が黄色であることを特徴とする請求項１に記載の新暦・旧暦カレンダー。
【請求項４】
前記方形の部分に、二十四節気及び／又は雑節又は主要行事を示す図柄及びそれを示す文字が記載されていることを特徴とする請求項１に記載の新暦・旧暦カレンダー。
【考案の詳細な説明】
【技術分野】
【０００１】
本考案は、カレンダーに関し、特に新暦と旧暦の双方の日付を表示した新暦・旧暦カレンダーの改良に関する。
【背景技術】
【０００２】
従来から新暦（太陽暦）に加えて旧暦（太陰暦）の日付をも併せて表示した新暦・旧暦カレンダーが知られている。従来のかかる新暦・旧暦カレンダーの一例として、新暦の日付を主として表示し、旧暦の日付を新暦の日付部分の近傍に小さく表示したものがあった。しかし、旧暦の日付が目立たないため、旧暦の日付の視認性が良好でないという問題があった。そこで、旧暦の日付を大きく見やすくした新暦・旧暦カレンダーが提案されている。従来のかかる新暦・旧暦カレンダーの一例として、下記の特許文献１に記載されているものがある。特許文献１に記載の新暦・旧暦カレンダーでは、旧暦の日付が主要な日付として大きく中央に表示され、新暦の日付は、旧暦とは別個に小さく表示されている。また、月の満ち欠けは旧暦の日付と対応していて、月の満ち欠けを図形などで表示するカレンダーが従来からあった。
【特許文献１】実用新案登録第２１３３７４２号公報（第２図（その１））
【考案の開示】
【考案が解決しようとする課題】
【０００３】
しかしながら、特許文献１に開示された上記従来の新暦・旧暦カレンダーでは、旧暦の日付は見やすいが、新暦の日付が旧暦の日付とは別個に表示されているので、例えば旧暦の１月の用紙には、旧暦の１月分の表示とは別個に新暦の２月の一部と新暦の３月の一部が表示されていて、新暦の２月の全体や新暦の３月の全体が表示されていない。したがって、新暦で生活する一般の人々にとっては、極めて使いにくいものであったという問題があった。また、従来の月の満ち欠けを示す図形は、旧暦の日付と対応して表示されていないため、本来の旧暦と月の満ち欠けの関係が分かりにくいものとなっていた。
【０００４】
本考案は上記従来の問題を解決するもので、新暦と旧暦の日付、並びに月の満ち欠けを示す図形の配置を改良して新暦を主要な日付として表示し、新暦と旧暦の双方の日付の視認性を向上させ、旧暦と月の満ち欠けの図形の対応関係を分かりやすくするとともに新暦での生活上の利便性を向上させることを目的とする。
【課題を解決するための手段】
【０００５】
上記目的を達成するために本考案では、新暦の少なくとも１ヶ月分の日付の各日が方形の部分として順次配列されて１枚の用紙に印刷され、旧暦の日付表示が方形の部分内の新暦の日付を表す数字と対応して表示され、旧暦の日付の表示部の背景を構成する色帯が方形の部分の一部として設けられるとともに、色帯内に、月の満ち欠けを示す図形が前記旧暦の月日と対応して表示されているよう構成したものである。
【０００６】
すなわち本考案によれば、１枚の用紙に新暦の日付と旧暦の日付を併せて、少なくとも１ヶ月分を印刷した複数枚の用紙を束ねて構成した新暦・旧暦カレンダーにおいて、
前記新暦の少なくとも１ヶ月分の日付の各日が方形の部分として順次配列されて１枚の用紙に印刷され、
前記旧暦の日付が、前記方形の部分内の前記新暦の日付を表す数字の近傍に前記方形の部分の一部として設けられた色帯内に、前記旧暦の月日を含む文字で前記新暦の日付と対応して表示され、
前記色帯内に、月の満ち欠けを示す図形が前記旧暦の月日と対応して表示されていることを特徴とする新暦・旧暦カレンダーが提供される。
【０００７】
また、前記月の満ち欠けを示す図形の近傍に、当該月の満ち欠けに応じて、「上弦」、「満月、「下弦」、「新月」の文字が配されていることは本考案の好ましい態様である。
【０００８】
また、前記色帯を構成する色が青紫であり、前記月の満ち欠けを示す図形が黄色であることは本考案の好ましい態様である。
【０００９】
また、前記方形の部分に、二十四節気及び／又は雑節又は主要行事を示す図柄及びそれを示す文字が記載されていることは本考案の好ましい態様である。
【考案の効果】
【００１０】
本考案の新暦・旧暦カレンダーでは、新暦の少なくとも１ヶ月分の日付の各日が方形の部分として順次配列されて１枚の用紙に印刷され、旧暦の日付表示が新暦の日付より小さい文字で表示されているので、新暦の１ヶ月分の日付を視認しやすく、月の満ち欠けを示す図形が旧暦の月日と対応して表示されているので、相互の関係が分かりやすく、使い勝手がよい。
【００１１】
また本考案の新暦・旧暦カレンダーでは、旧暦の日付が方形の部分内の新暦の日付を表す数字の近傍に方形の部分の一部として設けられた色帯内に、旧暦の月日を含む文字で表示されていて、また月の満ち欠けを示す図形が旧暦の月日と対応して表示されているので、旧暦並びに月の満ち欠けとそれらの関係の視認性も高い。
【考案を実施するための最良の形態】
【００１２】
以下、本考案の実施の形態について、図１及び図２を用いて説明する。本考案の新暦・旧暦カレンダーの好ましい実施の形態は、図示省略の表紙を一番上として、１月から１２月までをそれぞれ１枚で示す用紙が順次重ねられて綴じられているものである。図１は、表紙の下に配され、新暦の１月の日付が印刷された用紙１２を示す平面図であり、図２は、図１の一部を拡大して示す拡大平面図である。すなわち、この実施の形態では、図１に示す用紙１２を含む複数枚の用紙が綴じられ、めくり取り式となっている。本考案の新暦・旧暦カレンダーは、新暦と旧暦の双方の日付を表示するものであり、また後述するように月の満ち欠けの変遷を示す図形２４が旧暦の日付と対応して示されている。なお、本願において特に断りのない日付は新暦の月又は日付である。
【００１３】
図１は、新暦の１月を１週間を横１段として、合計５段として表示した用紙１２を示している。この１月の日付中、例えば１月５日（木）の日付表示部分１８には、新暦の日付である数字の５が大きく表示されている。また、数字の５の上方には、薄い青紫色の横方向に伸長する帯状部分２０が配されている。この色付きの帯状部分２０は、色帯と呼ばれる。色帯２０の中には、旧暦の日付が記載されている。すなわち、新暦の２００６年１月５日は、旧暦では２００５年１２月６日に相当するので、「旧１２月６日」と表示されている。さらに、この日は二十四節気の「小寒」に相当するので、その文字１４Ａに関連する図柄１４Ｂと共に表示されている。なお、雑節又は主要行事を示した文字１５Ａが関連する図柄１５Ｂと共にも表示されている（図１中の１月７日の「七草」の文字及び図柄参照）。また、当月の用紙には、前月と翌月のカレンダーが縮小表示部２２Ａ、２２Ｂとして併せて表示されている。
【００１４】
図２は、図１の部分拡大図であり、夜空をイメージした青紫の色帯２０中に、月の満ち欠けを示す図形２４が黄色で表示されている様子が示されている。すなわち、１月７日（旧暦の１２月８日）は、上弦の月であるので、月の満ち欠けを示す図形２４が右半分の半円形の図形として示されている。
【００１５】
図１に示す用紙１２に示される１月部分において、１月７日、１月１４日、１月２３日、１月２９日の色帯２０には、月の満ち欠け示す図形２４が、「上弦」、「満月」、「下弦」、「新月」の文字と共に配されている。月の満ち欠けは、月の運行と共に旧暦（太陰暦）の基礎となっているものであり、また潮の大小などを予測する上で有用なものである。
【００１６】
なお、図１において、カレンダーの下方（又は月によっては上方）の空欄に行事欄２８が設けられていて、当該月の行事が分かり易くなっている。
【産業上の利用可能性】
【００１７】
以上のように本考案は、新暦と旧暦の双方が見やすく表示され、色帯内に、月の満ち欠けを示す図形が前記旧暦の月日と対応して表示されているので、新暦で生活する一般の人々にとっても使いやすく、旧暦と新暦の対応並びにこれらと月の満ち欠けの対応が容易に把握できるので、新暦と旧暦を表示するカレンダーの分野で有用である。
【図面の簡単な説明】
【００１８】
【図１】本考案の新暦・旧暦カレンダーの実施の形態の新暦の１月を表示した用紙の平面図である。
【図２】図１の部分拡大図である。
【符号の説明】
【００１９】
１２  本考案の新暦・旧暦カレンダーの実施の形態の新暦の１月を表示した用紙
１４Ａ  二十四節気を示す文字
１４Ｂ  二十四節気を示す図柄
１５Ａ  雑節又は主要行事を示した文字
１５Ｂ  雑節又は主要行事を示した図柄
１８  日付表示部分
２０  帯状部分（色帯）
２２Ａ、２２Ｂ  縮小表示部
２４  月の満ち欠けを示す図形
２８  行事欄
【図１】
0003112860.tif 000003
【図２】
0003112860.tif 000004